(57)【要約】【課題】同一の放送局とみなすような仕組みを確立する。【解決手段】  ステップＳ２で、network_idに基づき、変更前後のネットワークのそれぞれに対する地域識別、地域事業者識別、および県複フラグが生成される。ステップＳ３ではNIT[actual]からＴＳ情報記述子に含まれるremote_control_key_idが抽出される。ステップＳ４、Ｓ５では、両局の地域事業者識別が比較される。ステップＳ７、Ｓ９，Ｓ１０では、両局の地域識別が比較される。ステップＳ８では、両局のremote_control_key_idの一致が判定される。本発明は、地上デジタルテレビジョン放送を受信する受信装置に適用することができる。【選択図】図２
2005094101.tif 000002
【特許請求の範囲】
【請求項１】
放送局を識別するための識別情報が含まれている放送信号を受信する受信装置において、
受信した放送信号から前記識別情報を抽出する抽出手段と、
前記抽出手段により、同一周波数であって、かつ、異なるタイミングで放送された複数の放送信号からそれぞれ抽出された前記識別情報に基づき、前記複数の放送信号が同一の放送局から放送されたものであるか否かを判定する判定手段と
を含むことを特徴とする受信装置。
【請求項２】
前記判定手段は、前記複数の放送信号からそれぞれ抽出された前記識別情報に基づき、前記複数の放送信号をそれぞれ放送した放送局の地域識別の情報、地域事業者識別の情報、県複フラグの情報、またはリモートコントローラの操作ボタンとの対応を示す情報のうち、少なくとも１つを生成して比較し、前記複数の放送信号が同一の放送局から放送されたものであるか否かを判定する
ことを特徴とする請求項１に記載の受信装置。
【請求項３】
放送局を識別するための識別情報が含まれている放送信号を受信する受信方法において、
受信した放送信号から前記識別情報を抽出する抽出ステップと、
前記抽出ステップの処理により、同一周波数であって、かつ、異なるタイミングで放送された複数の放送信号からそれぞれ抽出された前記識別情報に基づき、前記複数の放送信号が同一の放送局から放送されたものであるか否かを判定する判定ステップと
を含むことを特徴とする受信方法。
【請求項４】
放送局を識別するための識別情報が含まれている放送信号を受信するためのプログラムであって、
受信した放送信号から前記識別情報を抽出する抽出ステップと、
前記抽出ステップの処理により、同一周波数であって、かつ、異なるタイミングで放送された複数の放送信号からそれぞれ抽出された前記識別情報に基づき、前記複数の放送信号が同一の放送局から放送されたものであるか否かを判定する判定ステップと
を含む処理をコンピュータに実行させることを特徴とするプログラム。
【発明の詳細な説明】
【技術分野】
【０００１】
本発明は、受信装置および方法、並びにプログラムに関し、特に、地上デジタルテレビジョン放送を受信する場合に用いて好適な受信装置および方法、並びにプログラムに関する。
【背景技術】
【０００２】
まもなく開始される地上デジタルテレビジョン放送に関し、北海道域においてNHK(商標)以外の民間放送では、放送開始当初、札幌から送出される電波を、函館や旭川等の区域ではそのまま中継して道内同一放送が行われ、その後、準備が整い次第、区域ごとに道内同一放送から区域ローカル放送に切り替えられることが予定されている。
【０００３】
なお、地上デジタルテレビジョン放送の詳細については、非特許文献１に開示されている。
【非特許文献１】地上デジタルテレビジョン放送運用規定  技術資料  ARIB TR-B14
【発明の開示】
【発明が解決しようとする課題】
【０００４】
ところで、地上デジタルテレビジョン放送では、同一放送事業者の放送であっても、一部でも内容が異なる場合(ローカルＣＭやローカルニュース等を含み得る場合)にはそれぞれが独立したネットワークとして定義されており、地上デジタルテレビジョン放送の放送波に多重化して送信される、ネットワークを特定するための情報であるNIT[actual]も異なるものである。さらに、それぞれのNIT[actual]に含まれる、各ネットワークに対して付与されているnetwork_id（識別情報）も異なるものが定義されている。
【０００５】
従って、地上デジタルテレビジョン放送において上述した事象が行われる場合、例えば函館の区域においては、ある日までは札幌の放送局のNIT[actual]の付与された放送波が放送され、ある日以降からは函館放送局のNIT[actual]の付与された放送波が放送されることになる。
【０００６】
地上デジタルテレビジョン放送を受信する既存の受信装置においては、内蔵されたメモリに予め記憶されている、受信しようと所望するネットワークのnetwork_idと、受信した放送波のNIT[actual]のnetwork_idとを比較して、受信した放送波が、所望したネットワークの放送波であるか否かを判定しているので、上述したような事象によってNIT[actual]が変更されてしまった場合、同一の放送局であることを認識できなくなってしまう。
【０００７】
そこで、上述したような事象が行われた場合においては、同一の放送局とみなすような仕組みが必要となるが、現在、そのような仕組みは提案されていないという課題があった。
【０００８】
本発明はこのような状況に鑑みてなされたものであり、同一の放送局とみなすような仕組みを確立することを目的とする。
【課題を解決するための手段】
【０００９】
本発明の受信装置は、受信した放送信号から識別情報を抽出する抽出手段と、抽出手段により、同一周波数であって、かつ、異なるタイミングで放送された複数の放送信号からそれぞれ抽出された識別情報に基づき、複数の放送信号が同一の放送局から放送されたものであるか否かを判定する判定手段とを含むことを特徴とする。
【００１０】
前記判定手段は、複数の放送信号からそれぞれ抽出された識別情報に基づき、複数の放送信号をそれぞれ放送した放送局の地域識別の情報、地域事業者識別の情報、県複フラグの情報、またはリモートコントローラの操作ボタンとの対応を示す情報のうち、少なくとも１つを生成して比較し、複数の放送信号が同一の放送局から放送されたものであるか否かを判定するようにすることができる。
【００１１】
本発明の受信方法は、受信した放送信号から識別情報を抽出する抽出ステップと、抽出ステップの処理により、同一周波数であって、かつ、異なるタイミングで放送された複数の放送信号からそれぞれ抽出された識別情報に基づき、複数の放送信号が同一の放送局から放送されたものであるか否かを判定する判定ステップとを含むことを特徴とする。
【００１２】
本発明のプログラムは、受信した放送信号から識別情報を抽出する抽出ステップと、抽出ステップの処理により、同一周波数であって、かつ、異なるタイミングで放送された複数の放送信号からそれぞれ抽出された識別情報に基づき、複数の放送信号が同一の放送局から放送されたものであるか否かを判定する判定ステップとを含む処理をコンピュータに実行させることを特徴とする。
【００１３】
本発明の受信装置および方法、並びにプログラムにおいては、同一周波数であって、かつ、異なるタイミングで放送された複数の放送信号からそれぞれ抽出された識別情報に基づき、複数の放送信号が同一の放送局から放送されたものであるか否かが判定される。
【発明の効果】
【００１４】
本発明によれば、同一の放送局とみなすような仕組みを確立することが可能となる。
【発明を実施するための最良の形態】
【００１５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１７】
本発明によれば、受信装置が提供される。この受信装置（例えば、図１の受信装置１０）は、受信した放送信号から識別情報（例えば、NIT[actual]）を抽出する抽出手段（例えば、図１のデマルチプレクサ１９）と、抽出手段により、同一周波数であって、かつ、異なるタイミングで放送された複数の放送信号（例えば、地上デジタルテレビジョン放送の放送信号）からそれぞれ抽出された識別情報に基づき、複数の放送信号が同一の放送局から放送されたものであるか否かを判定する判定手段（例えば、図２の一連の処理を実行する図１の制御部１１）とを含むことを特徴とする。
【００１８】
受信装置の判定手段は、複数の放送信号からそれぞれ抽出された識別情報に基づき、複数の放送信号をそれぞれ放送した放送局の地域識別の情報、地域事業者識別の情報、県複フラグの情報、またはリモートコントローラの操作ボタンとの対応を示す情報（例えば、remote_control_key_id）のうち、少なくとも１つを生成して比較し、複数の放送信号が同一の放送局から放送されたものであるか否かを判定するようにすることができる。
【００１９】
本発明によれば、受信方法が提供される。この受信方法は、受信した放送信号から識別情報を抽出する抽出ステップ（例えば、図２のステップＳ１）と、抽出ステップの処理により、同一周波数であって、かつ、異なるタイミングで放送された複数の放送信号からそれぞれ抽出された識別情報に基づき、複数の放送信号が同一の放送局から放送されたものであるか否かを判定する判定ステップ（例えば、図２のステップＳ４乃至Ｓ１１）とを含むことを特徴とする。
【００２０】
なお、本発明のプログラムの請求項に記載の構成要件と、発明の実施の形態における具体例との対応関係は、上述した本発明の受信方法のものと同様であるので、その記載は省略する。
【００２１】
以下、本発明を適用した受信装置について説明する。図１は、本発明を適用した受信装置の構成例を示している。制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至音声信号処理部２２が接続されている。
【００２２】
制御部１１は、ROM１３に記憶されている制御用プログラムに基づき、操作入力部１２から入力される操作コマンドに対応して、受信装置１０の各部を制御する。通信部１６は、TCP/IP等の通信プロトコルに従い、ネットワークを介して接続された、他の受信装置１０や他の電子機器と所定のデータを通信する。RAM１４には、受信するネットワークとnetwork_idとの対応を示すテーブルが記憶される。
【００２３】
フロントエンド部１７は、アンテナの出力から、ユーザの選局に対応する放送信号を抽出してデスクランブラ１８に出力する。デスクランブラ１８は、フロントエンド部１７から入力される放送信号のスクランブルを適宜解除して、デマルチプレクサ１９に出力する。デマルチプレクサ１９は、デスクランブラ１８から入力される放送信号から、映像データおよび音声データを分離し、映像データおよび音声データをMPEGデコーダ２０に出力する。また、デマルチプレクサ１９は、デスクランブラ１８から入力される放送信号から、当該放送信号を送信したネットワークを特定するための情報であるNIT[actual]を抽出して、バス１５を介して制御部１１に出力する。
【００２４】
MPEGデコーダ２０は、デマルチプレクサ１９から入力された映像データおよび音声データをデコードし、その結果得られる映像信号および音声信号を、それぞれ映像信号処理部２１または音声信号処理部２２に出力する。映像信号処理部２１は、MPEGデコーダ２０から入力された映像信号に対し、所定の画像処理を行ってモニタ３０に出力する。音声信号処理部２２は、MPEGデコーダ２０から入力された音声信号に対し、所定の音声処理を行って出力する。
【００２５】
次に、受信装置１０の動作について説明する。操作入力部１２により、ユーザの選局操作が検知された場合、その操作信号は制御部１１に入力される。制御部１１は、入力された操作信号に対応して、フロントエンド部１７を制御し、アンテナの出力から、ユーザの選局に対応する放送信号を抽出させる。次に、デスクランブラ１８に、フロントエンド部１７から入力される放送信号のスクランブルを適宜解除させ、デマルチプレクサ１９に、デスクランブラ１８から入力された放送信号から、映像データおよび音声データを分離させる。さらに、MPEGデコーダ２０は、デマルチプレクサ１９から入力された映像データおよび音声データをデコードさせ、映像信号処理部２１にMPEGデコーダ２０から入力された映像信号に対して所定の画像処理を行わせ、音声信号処理部２２にMPEGデコーダ２０から入力された音声信号に対して所定の音声処理を行わせる。
【００２６】
また、制御部１１は、デマルチプレクサ１９に、放送信号からNIT[actual]を抽出させ、抽出させたNIT[actual]を、バス１５を介して取得し、抽出したNIT[actual]のnetwork_idと、受信しようと所望しているnetwork_idとを比較する。両者の値が異なる場合、この２つのネットワークが同一放送局とみなせるものであるか否かを判定する同一局判定処理を開始する。
【００２７】
この同一局判定処理について、図２のフローチャートを参照して説明する。ステップＳ１において、制御部１１は、変更が検出された前後のNIT[actual]から、それぞれnetwork_idを抽出する。ステップＳ２において、制御部１１は、ステップＳ１で抽出したnetwork_idに基づき、変更前後のネットワークのそれぞれに対する地域識別、地域事業者識別、および県複フラグを生成する。
【００２８】
地域識別は、１６ビットで構成されるnetwork_id［１５：０］のうちの６ビット［９：４］を抽出し、抽出した６ビットを変数Ｘとして、０ｘ３Ｆから変数Ｘを減算することによって生成する。
地域識別＝０ｘ３Ｆ−Ｘ
【００２９】
地域事業者識別は、１６ビットで構成されるnetwork_id［１５：０］のうちの４ビット［３：０］を抽出することによって生成する。
【００３０】
県複フラグは、１６ビットで構成されるnetwork_id［１５：０］のうちの１ビット［１０］を抽出し、反転することによって生成する。
【００３１】
ここで、地域識別とは、例えば、関東、近畿、中京、北海道域、岡山香川、島根鳥取等の広域、あるいは、都道府県等の県域の区分により、放送対象地域を示す情報である。地域事業者識別は、NHK、日本テレビ、TBS（いずれも商標）等のような同一地域内の放送事業者を区別する情報である。県複フラグは、同一の地域に、同一の地域事業者から異なる放送が行われているか否かを示すフラグである。
【００３２】
ステップＳ３において、制御部１１は、変更が検出された前後のNIT[actual]から、ＴＳ情報記述子に含まれるremote_control_key_idを抽出する。ここで、remote_control_key_idは、受信装置１０を制御するリモートコントローラのボタンとネットワークの対応を示す情報である。
【００３３】
ステップＳ４において、制御部１１は、NIT[actual]の異なる２つのネットワーク（以下、両局とも記述する）の地域事業者識別が一致するか否かを判定する。両局の地域事業者識別が一致すると判定された場合、処理はステップＳ５に進む。
【００３４】
ステップＳ５において、制御部１１は、両局の地域事業者識別がともに０または１であるか否かを判定する。両局の地域事業者識別がともに０であると判定された場合（この場合、両局は、ともにNHK総合である）、または両局の地域事業者識別がともに１であると判定された場合（この場合、両局は、ともにNHK教育である）、処理はステップＳ６に進み、両局が同一の放送局であるとみなされる。これにより、NIT[actual]の変更が検出された後も、受信ミスと判断することなく、継続してこの周波数の放送信号を受信する。また、NIT[actual]の変更が検出された後のnetwork_idも、RAM１４のテーブルに追加登録される。
【００３５】
ステップＳ５において、両局の地域事業者識別がともに０ではなく、１でもないと判定された場合、処理はステップＳ７に進む。ステップＳ７において、制御部１１は、両局の地域識別が、対応する県域と広域の関係にあるか否かを判定する。両局の地域識別が、対応する県域と広域の関係にあると判定された場合、処理はステップＳ８に進む。ステップＳ８において、制御部１１は、両局のremote_control_key_idが一致するか否かを判定する。両局のremote_control_key_idが一致すると判定された場合、処理はステップＳ６に進み、両局が同一の放送局であるとみなされる。
【００３６】
ステップＳ８において、両局のremote_control_key_idが一致しないと判定された場合、処理はステップＳ１０に進む。ステップＳ１０において、制御部１１は、両局の地域識別が一致するか否かを判定する。両局の地域識別が一致すると判定された場合、処理はステップＳ６に進み、両局が同一の放送局であるとみなされる。なお、いまの場合、両局の県複フラグは異なっているばずであるので、これを確認する処理を追加するようにしてもよい。
【００３７】
ステップＳ７において、両局の地域識別が、対応する県域と広域の関係にないと判定された場合、処理はステップＳ９に進む。ステップＳ９において、制御部１１は、両局の地域識別がともに北海道域であるか否かを判定する。両局の地域識別がともに北海道域であると判定された場合、ステップＳ８に進み、両局のremote_control_key_idが一致することが確認され、その後、処理はステップＳ６に進み、両局が同一の放送局であるとみなされる。なお、ステップＳ８における、両局のremote_control_key_idが一致することを確認する処理は省略してもよい。
【００３８】
なお、ステップＳ４において、両局の地域事業者識別が一致しないと判定された場合、処理はステップＳ１１に進む。ステップＳ１１において、制御部１１は、両局を同一放送局ではないとみなすことに決定する。
【００３９】
また、ステップＳ９において、両局の地域識別がともに北海道域であると判定された場合、あるいは、ステップＳ１０において、両局の地域識別が一致していないと判定された場合においても、ステップＳ１１に進み、両局が同一放送局ではないとみなすことに決定される。以上で、同一局判定処理の説明を終了する。
【００４０】
なお、本発明は、本実施の形態の他、テレビジョン受像機等に適用することが可能である。
【００４１】
また、本明細書において、プログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００４２】
【図１】本発明を適用した受信装置の構成例を示すブロック図である。
【図２】同一局判定処理を説明するフローチャートである。
【符号の説明】
【００４３】
１０  受信装置，  １１  制御部，  １２  操作入力部，  １３  ROM，  １４  RAM，  １９  デマルチプレクサ
【図１】
2005094101.tif 000003
【図２】
2005094101.tif 000004